(57)【要約】【課題】  スピンドルを取り替えることなく、勢いよくハンドルを回転操作してフックが跳ね上がってもフックの裏返りが防止でき、排水弁が開いた状態のままとなることを防止することができるフック接続構造を提供する。【解決手段】  便器に供給される洗浄水を貯溜するタンクの底部に設けられ便器へ洗浄水を供給または停止する排水弁に接続された引上げ部材と、前記引上げ部材に接続され、略円環状のスピンドル取付部を有するフックと、一方に前記スピンドル取付部を係止する貫通孔が穿設され前記フックが係止されるフック係止部を有し、他方に回転操作により排水弁を開弁させるためのハンドルが接続されるスピンドルと、を備えたフック接続構造において、前記フックは、前記スピンドルの回転に連動する前記フックの回転運動を規制する規制手段を前記フックに設けたことを特徴とするフック接続構造。【選択図】  図１
2015078491.tif 000002
【特許請求の範囲】
【請求項１】
便器に供給される洗浄水を貯溜するタンクの底部に設けられ便器へ洗浄水を供給または停止する排水弁に接続された引上げ部材と、
前記引上げ部材に接続され、略円環状のスピンドル取付部を有するフックと、
一方に前記スピンドル取付部を係止する貫通孔が穿設され前記フックが係止されるフック係止部を有し、他方に回転操作により排水弁を開弁させるためのハンドルが接続されるスピンドルと、を備えたフック接続構造において、
前記フックは、
前記スピンドルの回転に連動する前記フックの回転運動を規制する規制手段を前記フックに設けたことを特徴とするフック接続構造。
【請求項２】
前記規制手段は、前記フックの回転運動を前記スピンドルの回転軸方向と平行な軸回りの回転に規制することを特徴とする請求項１記載のフック接続構造。
【請求項３】
前記規制手段は、前記フック係止部の先端部における前記貫通孔の穿設方向の幅を受け入れる溝部を有し、
前記規制手段は、前記貫通孔が開口する前記フック係止部の各側面に、前記溝部の内側面が、それぞれ沿うように配設されていることを特徴とする請求項２記載のフック接続構造。
【請求項４】
前記規制手段は、前記スピンドル取付部を挟み込む第一挟装部と第二挟装部と、前記第一挟装部と前記第二挟装部とを繋ぐ接続部と、から形成されることを特徴とする請求項１から請求項３の何れか１項に記載のフック接続構造。
【請求項５】
前記第一挟装部及び前記第二挟装部の上部中央から左右それぞれに下り傾斜している傾斜部を有することを特徴とする請求項４に記載のフック接続構造。
【発明の詳細な説明】
【技術分野】
【０００１】
本発明は、便器に供給される洗浄水を貯溜するタンクの底部に設けられ便器へ洗浄水を供給または停止する排水弁に接続された引上げ部材と、回転操作により排水弁を開弁させるためのハンドルに連結されたスピンドルとを接続するフックの接続構造に関する。
【背景技術】
【０００２】
従来、この種のフック接続構造として特許文献１に開示されているものを詳述すると次の通りである。図４に示すごとく便器に供給する洗浄水を貯溜するタンクの側壁１４には、ハンドル１が回転操作可能に取付けられている。このハンドル１にはハンドル１の回転操作に連動するとともに先端側の垂下片３ａ（フック係止部）に貫通孔３ｂが穿設された合成樹脂製のスピンドル３が側壁１４の内側に突出状に連結されている。このスピンドル３の貫通孔３ｂには針金で略Ｓ字に形成されたフック４のスピンドル取付部４ａが取付けられており、このフック４の玉鎖係止部４ｂには玉鎖５の上端部が係止されている。玉鎖５の下端部は図示せぬがタンクに貯溜された洗浄水を便器へ供給または停止する排水弁に接続されている。ハンドル１を回転操作する前の状態では、スピンドル３の貫通孔３ｂは排水弁の玉鎖５が接続されている部分のほぼ鉛直上に位置している。この状態から、ハンドル１を回転操作すると、スピンドル３がハンドル１に連動して回転され、フック４を介して玉鎖５を上方へ引き上げ、これによって排水弁が開弁され、タンク内に貯溜されている洗浄水が便器へ供給されるが、この時スピンドル３の貫通孔３ｂは排水弁の玉鎖５が接続されている部分の斜め上に位置している。
【０００３】
しかし、このような従来構造においては、勢いよくハンドル１を回転操作すると、スピンドル３がスピンドル３の可動範囲限界に達して回転が終了しても、フック４には慣性力が働いているので、図５に示すごとくフック４がねじれながら裏返りスピンドル３の垂下片３ａ上に乗ることがある。この時、フック４の玉鎖係止部４ｂは、排水弁の玉鎖５が接続されている部分の斜め上且つ排水弁の玉鎖５が接続されている部分に対する水平方向の距離がスピンドル３の貫通孔３ｂよりも近い所に位置しているので、フック４には排水弁の自重などによってフック４をスピンドル３上に載せ続けようとする引っ張り方向の力が作用する。この結果、この状態からハンドル１を元の状態に戻してもフック４が裏返ったままとなるので、排水弁はフック４のスピンドル取付部４ａと玉鎖係止部４ｂとの距離相当だけ開弁したままとなり、タンク内に貯溜されている洗浄水が流出し続けるという問題点があった。
【０００４】
上記問題を解決するために発明された特許文献２には、以下の開示がある。スピンドルに設けられたフック係止部の基端部と貫通孔との間に、フックが回転する際のねじれ方向の運動を規制する規制部を設けている。規制部によって一定の軌道でフックが回転するので、裏返りを防ぐことができる。
【先行技術文献】
【特許文献】
【０００５】
【特許文献１】実開平６−７４６７４号公報
【特許文献２】特開２００３−２３９３４９号公報
【発明の概要】
【発明が解決しようとする課題】
【０００６】
特許文献２に記載の技術はスピンドルに設けられたフック係止部の形状を工夫することで、フックの裏返りを防止している。このため、特許文献２の技術を用いて既存便器のフックの裏返りを防止するには、スピンドルを取り替える必要が生じる。したがって、特許文献２の技術によれば、従来のスピンドルからフックを取り外し、スピンドルを特許文献２に記載の技術を適用したスピンドルに取り替え、またスピンドルにフックを取り付けるという煩雑な作業が必要であった。
【０００７】
本発明は前記事情に鑑みて為されたものであり、その目的は、スピンドルを取り替えることなく、勢いよくハンドルを回転操作してフックが跳ね上がってもフックの裏返りが防止でき、排水弁が開いた状態のままとなることを防止することができるフック接続構造を提供することにある。
【課題を解決するための手段】
【０００８】
本発明の態様の１つは、便器に供給される洗浄水を貯溜するタンクの底部に設けられ便器へ洗浄水を供給または停止する排水弁に接続された引上げ部材と、前記引上げ部材に接続され、略円環状のスピンドル取付部を有するフックと、一方に前記スピンドル取付部を係止する貫通孔が穿設され前記フックが係止されるフック係止部を有し、他方に回転操作により排水弁を開弁させるためのハンドルが接続されるスピンドルと、を備えたフック接続構造において、前記フックは、前記スピンドルの回転に連動する前記フックの回転運動を規制する規制手段を前記フックに設けたことを特徴とするフック接続構造である。
【０００９】
このように構成された本発明においては、勢いよくハンドルを回転操作してフックが跳ね上がっても規制手段によって回転動作が規制されるので、フックの裏返りが防止でき、タンク内に貯溜されている洗浄水が流出し続けることを防止できる。
【００１０】
本発明の選択的な態様においては、前記規制手段は、前記フックの回転運動を前記スピンドルの回転軸方向と平行な軸回りの回転に規制することを特徴とするフック接続構造である。
【００１１】
このように構成された発明においては、勢いよくハンドルを回転操作してフックが跳ね上がっても規制手段によってスピンドルの回転軸に対してスピンドルの回転軸と平行な回転軸方向に回転が規制されるので、フックの裏返りが防止でき、タンク内に貯溜されている洗浄水が流出し続けることを防止できる。
【００１２】
本発明の選択的な態様においては、前記規制手段は、前記フック係止部の先端部における前記貫通孔の穿設方向の幅を受け入れる溝部を有し、前記規制手段は、前記貫通孔が開口する前記フック係止部の各側面に、前記溝部の内側面が、それぞれ沿うように配設されていることを特徴とするフック接続構造である。
【００１３】
このように構成された発明においては、溝部がフック係止部の各側面に沿って配設されることで、フックの回転動作が一方向に規制される。従ってフックの裏返りが防止でき、タンク内に貯溜されている洗浄水が流出し続けることを防止できる。
【００１４】
本発明の選択的な態様においては、前記規制手段は、前記スピンドル取付部を挟み込む第一挟装部と第二挟装部と、前記第一挟装部と前記第二挟装部とを繋ぐ接続部と、から形成されることを特徴とするフック接続構造である。
【００１５】
このように構成された発明においては、第一挟装部と第二挟装部によって、スピンドル取付部を挟み込み固定するので、スピンドル取付部から外れにくい。
【００１６】
本発明の選択的な態様においては、前記第一挟装部及び前記第二挟装部の上部中央から左右それぞれに下り傾斜している傾斜部を有することを特徴とするフック接続構造である。
【００１７】
このように構成された発明においては、第一挟装部及び第二挟装部は、それぞれの上部中央から左右それぞれに下り傾斜している傾斜部が設けられる。そのため、引上げ部材が規制手段に引っかかることを防止でき、タンク内に貯溜されている洗浄水が流出し続けることを防止できる。
【発明の効果】
【００１８】
本発明のフック接続部によれば、スピンドルを取り替えることなく、勢いよくハンドルを回転操作してフックが跳ね上がってもフックの裏返りが防止でき、排水弁が開いた状態のままとなることを防止することができる。
【図面の簡単な説明】
【００１９】
【図１】本発明の一実施形態に係るフック接続構造の概略構成図。
【図２】本発明の一実施形態に係るフック接続構造のフックをカバーで挟む前の斜視図。
【図３】図１のフック接続構造のフックに取り付けられたカバー周辺の拡大図。
【図４】従来のフック接続構造の概略図。
【図５】従来のフック接続構造のフックが裏返った状態を示す図。
【発明を実施するための形態】
【００２０】
以下、本発明の実施の形態について図面を参照しつつ説明する。なお、各図面中、同様の構成要素には同一の符号を付して詳細な説明は適宜省略する。
【００２１】
本発明は、便器（図示なし）に供給される洗浄水を貯溜するタンク１０の内部構造に関する発明である。図１又は図２に示すように、タンク１０の底部に設けられた排水弁（図示なし）に下側の端部が接続された引上げ部材である玉鎖５と、玉鎖５の上側の端部に接続されたフック４と、フック４が係止されたスピンドル３と、を備えたフック接続構造５０に関する。排水弁は、便器へ洗浄水を供給または停止する部材である。
【００２２】
便器の上面に載置されるタンク１０は、略直方体をしている。タンク１０は、上面が開口しており、開口を覆うように蓋１２が置かれている。タンク１０の側壁１４には、ハンドル１が設置されている。ハンドル１は、側面形状が略Ｌ字状に形成されており長辺側は使用者が、ハンドル１を掴みやすいように板状に形成されている。ハンドル１の短辺側の端部には、スピンドル３が連結されている。使用者は、ハンドル１の略Ｌ字の長辺側を掴んで、スピンドル３を回転軸として回転操作することで、便器の洗浄を行うことができる。
【００２３】
スピンドル３は基端側が、ハンドル１に連結されている。ハンドル１と連結されたスピンドル３は、タンク１０の側壁１４に設けられる開口１６からタンク１０内に、スピンドル３の先端側から挿入されている。スピンドル３の基端側には、開口１６より大きく形成されたフランジ１８が設けられている。そのフランジ１８は、スピンドル３を挿入すると側壁１４に当接し、それ以上タンク１０内に挿入されないように形成されている。スピンドル３の基端部は、側壁１４の開口１６に、タンク１０の内側からナット２０にて固定されている。詳細には、スピンドル３の基端部に、ナット２０の雌ネジと螺合する雄ネジが設けてあり、ナット２０をスピンドル３の基端部に螺合することで、スピンドル３は、ナット２０と、フランジ１８とによって側壁１４を挟み込むように固定される。
【００２４】
スピンドル３の先端側には、フック係止部である垂下片３ａを有する連結部２２が設けられている。垂下片３ａは、連結部２２の下部から下方に向かって延びる板状の形をしている。垂下片３ａの先端部には、スピンドル３の軸方向に向かって貫通孔３ｂが設けられている。スピンドル３の基端側の（図１における右）垂下片３ａは、下方に向かって垂直に延びる形状となっている。スピンドル３の先端側の（図１における左）垂下片３ａは、その基端側からある程度まで下方に延びているが、途中から右の垂下片３ａから離間する向き（図１における左斜め下方向に向き）に延びる方向を変え、その後、再び下方向へ向かって延びるような形状となっている。なお、２つの垂下片３ａの内、一方はタンク１０底部に設けられ、タンク１０に貯溜された洗浄水を多量に便器へ供給する大洗浄用排水弁（図示なし）に接続されるものであり、もう一方は少量の洗浄水を便器へ供給する小洗浄用排水弁（図示なし）に接続されるものである。右の垂下片３ａの下端と左の垂下片３ａの下端との間の距離は、各垂下片に係止されるフック４に取り付けられる、後述するカバー２４同士が干渉しない距離とされる。
【００２５】
図２に示すようにフック４は、１本の針金状の部材から作成されている。フック４の一側には、円の一部が欠けた円環状のスピンドル取付部４ａが形成され、フック４の他側には、一部が欠けた楕円形状の玉鎖係止部４ｂが形成されている。スピンドル取付部４ａと玉鎖係止部４ｂとは、互いに略直交する位置関係にある面のそれぞれに沿うように形成されている。
【００２６】
垂下片３ａにスピンドル取付部４ａの円環状の欠けた部分からフック４は、貫通孔３ｂに挿入されている。そのフック４は、貫通孔３ｂにぶら下がるように係止されている。
【００２７】
玉鎖係止部４ｂに取り付けられる玉鎖５（図３参照）は、細長い可撓性の紐５ｂに、穴の空いた樹脂製の複数の玉５ａを隙間を空けつつ等間隔に固定して形成したものである。すなわち、玉鎖５は、玉５ａが固定されている部位に比べて紐５ｂが露出している部位の方が、径が細くなっている。玉鎖５は、玉鎖係止部４ｂの楕円の一部が欠けた部分から紐５ｂの部分を円環状の内部に押し込まれ、玉鎖係止部４ｂに取り付けられている。つまり、玉鎖係止部４ｂの欠けた部分に相当する部分の隙間の大きさは、玉鎖５の紐５ｂの線径よりも小さく、玉鎖５は、紐５ｂの縮径、あるいは玉鎖係止部４ｂの弾性変形の少なくともいずれかをともなって、紐５ｂの部分が玉鎖係止部４ｂ内に押し込まれることで、フック４に取り付けられる。玉鎖係止部４ｂの内径寸法は、玉５ａの直径より小さく且つ紐５ｂの外径寸法よりも大きく形成されている。このような構成にしたことで、玉鎖５が玉鎖係止部４ｂに係止された状態において、玉鎖係止部４ｂから線方向及び径方向に玉鎖５が抜けにくくなっている。
【００２８】
図１、図３に示すように、フック４には、スピンドル３の回転に連動するフック４の回転運動を規制する規制手段であるカバー２４が、フック４を挟み込むように設けられている。カバー２４は、図２に示すように、フック４を挟み込む第一挟装部２６及び第二挟装部２８と、第一挟装部２６と第二挟装部２８を繋ぐ接続部３０から構成されている。
【００２９】
第一挟装部２６と第二挟装部２８の外形は、ほぼ同一の形状であり平板状で略矩形に形成されている。第一挟装部２６と第二挟装部２８は、略矩形状の外形における一辺側同士を対向させるようにして接続部３０によって互いに繋げられ、互いに重なった状態でフック４のスピンドル取付部４ａを挟み込む。すなわち、カバー２４は、接続部３０の部分を折曲げ部として第一挟装部２６と第二挟装部２８とが互いに重なるように折畳み可能な一体の部品として構成されている。なお、以下の説明では、図２に示すように第一挟装部２６と第二挟装部２８が接続部３０を介して横向きに並んだ状態における上下方向（図２における上下方向）をカバー２４における上下方向とし、第一挟装部２６と第二挟装部２８が並ぶ横方向をカバー２４における左右方向とする。
【００３０】
第一挟装部２６と第二挟装部２８の上部中央には、フック係止部である垂下片３ａの先端部を受け入れる溝部３２がそれぞれ形成されている。溝部３２は、垂下片３ａの先端部における貫通孔３ｂの穿設方向の幅を受け入れる。
【００３１】
具体的には、溝部３２は、第一挟装部２６及び第二挟装部２８の各挟装部の左右方向の中央部が上側から上下方向を長手方向とする略矩形状に切り欠かれた部分である。各挟装部の溝部３２は、略同じ大きさ・形状に形成されており、第一挟装部２６と第二挟装部２８が折り重なった状態で一つの凹溝を形成する。このように第一挟装部２６及び第二挟装部２８のそれぞれが有する溝部３２により形成される凹溝は、垂下片３ａの先端部を、貫通孔３ｂの貫通方向が凹溝の幅方向となる向きで受け入れる。したがって、溝部３２は、その幅方向の寸法が、垂下片３ａの先端部の貫通孔３ｂの穿設方向の幅Ｔ（図３参照）よりもわずかに大きくなるように形成されている。
【００３２】
カバー２４は、貫通孔３ｂが開口する垂下片３ａの各側面に、溝部３２を形成する面であって左右方向に互いに対向する内側面が、それぞれ沿うように配設されている。フック４をカバー２４で挟んだ状態において第一挟装部２６と向かい合う第二挟装部２８の面には、円環状の環状凹部３４が設けられている。環状凹部３４は、溝部３２が形成された部分を含む部分に形成されている。このため、環状凹部３４の円環形状は、溝部３２の部分で途切れている。フック４のスピンドル取付部４ａの外形は、環状凹部３４の外形と略一致しており、スピンドル取付部４ａは、環状凹部３４に嵌着されている。スピンドル取付部４ａが環状凹部３４に嵌ることで、カバー２４はフック４に対して位置決めされた状態で設けられる。
【００３３】
第一挟装部２６と第二挟装部２８の溝部３２が設けられる上側の辺部のそれぞれの両端部は、面取りが行われ傾斜部４０が形成されている。本実施形態では、図２に示すように、傾斜部４０は、溝部３２の左右方向の両外側の略全体に形成されている。したがって、溝部３２において上下方向に沿う溝部３２の内側面と、傾斜部４０において形成される斜面とにより、鋭角部が形成される。第一挟装部２６及び第二挟装部２８の各挟装部の傾斜部４０は、略同じ態様で形成されており、第一挟装部２６と第二挟装部２８が折り重なった状態で、共通の斜面部を形成する。傾斜部４０は、第一挟装部２６と第二挟装部２８の上部の左右方向の中央から、左右それぞれの方向に下り傾斜しているので、使用者が勢いよくハンドル１を回転操作して、玉鎖５がカバー２４の上部に載っても、傾斜部４０に沿って滑り落ちる。従って、カバー２４に玉鎖５が引っかかることを防止できる。
【００３４】
また、カバー２４においては、第一挟装部２６と第二挟装部２８が重なった状態で接続部３０側と反対側となる辺部に、第一挟装部２６と第二挟装部２８同士を固定させるための形状部分が設けられている。具体的には、図２に示すように、第二挟装部２８の接続部３０側と反対側の辺部には、孔部を形成する環状をなす部分である止め具３６が設けられている。これに対し、第一挟装部２６の接続部３０側と反対側の辺部には、止め具３６と係合する凸部である爪部３８が形成されている。止め具３６と爪部３８とは、各部の弾性変形をともなって止め具３６において形成された孔に爪部３８としての凸部が嵌り込むことで互いに係合する。爪部３８と止め具３６が互いに係合することで、第一挟装部２６と第二挟装部２８の接続部３０側と反対側の辺部同士が互いに固定される。爪部３８と止め具３６とは、材料の弾性を利用してはめ込むことにより固定する所謂スナップフィット方式によって係合している。
【００３５】
次にフック４にカバー２４を取り付ける方法について説明する。まずは、図２に示すようにカバー２４を開いた状態とする。フック４のスピンドル取付部４ａの外形に沿って彫られた溝である環状凹部３４が第二挟装部２８に設けられているので、スピンドル取付部４ａを環状凹部３４に嵌める。フック４のスピンドル取付部４ａが環状凹部３４に嵌まった状態で、第一挟装部２６と第二挟装部２８とでフック４のスピンドル取付部４ａの部分を挟み込む。フック４を第一挟装部２６と第二挟装部２８とで挟むとともに、カバー２４における接続部３０と反対側の端部同士を押し付けることで、第一挟装部２６に設けられた爪部３８と第二挟装部２８に設けられた止め具３６とがスナップフィット方式によって係合し固定される。爪部３８は、第一挟装部２６の側部に設けられ、止め具３６と係合するように凸部が形成されている。止め具３６は、第二挟装部２８の側部に設けられ、爪部３８の凸部と係合するための凹部が形成されている。爪部３８と止め具３６を係合させることで、第一挟装部２６と第二挟装部２８は、フック４を挟むように固定できる。
【００３６】
第一挟装部２６と第二挟装部２８とによって環状凹部３４に嵌ったスピンドル取付部４ａが挟持された状態、つまりフック４にカバー２４が取り付けられた状態においては、スピンドル取付部４ａの大部分がカバー２４により覆われるとともに、スピンドル取付部４ａの一部（上端部）が、溝部３２の部分において露出した状態となる。つまり、上述したように溝部３２においては環状凹部３４が途切れており、その途切れた部分に位置するスピンドル取付部４ａの上端部分は、溝部３２（凹溝）の内側面間を横切ってカバー２４外に露出した部分となる。また、フック４にカバー２４が取り付けられた状態においては、カバー２４の下側から、フック４の一側の端部であるスピンドル取付部４ａの玉鎖係止部４ｂ側と反対側の端部と、玉鎖係止部４ｂを含むフック４の残りの部分が露出する。
【００３７】
カバー２４は、スピンドル取付部４ａが垂下片３ａの先端部の貫通孔３ｂに貫通した状態にて、フック４に取り付けられる。かかる状態においては、貫通孔３ｂが開口する垂下片３ａの各側面と、溝部３２の内側面とがわずかな隙間を隔てて互いに対向した状態となる。また、カバー２４の下側から露出する玉鎖係止部４ｂに、玉鎖５の上端部が取り付けられる。
【００３８】
以上のようなカバー２４の構造によれば、第一挟装部２６と、第二挟装部２８と、接続部３０と、止め具３６と、爪部３８は一体的に形成されるので、容易に製造することができる。また、第一挟装部２６と第二挟装部２８の端部同士を固定させて第一挟装部２６と第二挟装部２８が重なった状態を維持するための構造として、スナップフィット方式による係合構造を採用することにより、フック４に簡単に且つ強固に固定することができる。
【００３９】
次にカバー２４をフック４に装着することによって、フック４の回転動作がどのように規制されるかを説明する。スピンドル３の回転軸方向をＸ軸方向（図１における略左右方向）、鉛直方向をＹ軸方向（図１における上下方向）、カバー２４の厚み方向をＺ軸方向（図２における矢印Ａ方向）とする。カバー２４をフック４に装着することにより、フック４の回転は、スピンドル３の回転軸方向と平行な軸回りの回転、つまりＸ軸回りの回転に規制される。このことは、溝部３２内においてスピンドル取付部４ａの上端露出部を貫通孔３ｂに貫通させるとともに貫通孔３ｂが開口する各側面を溝部３２の内側面に対向させる垂下片３ａの、スピンドル取付部４ａに対する周方向の相対的な移動が規制されることに基づく。つまり、貫通孔３ｂにスピンドル取付部４ａの上端部を貫通させた状態の垂下片３ａがスピンドル取付部４ａの周方向に沿って移動しようとすると、垂下片３ａの側面が溝部３２の内側面に接触することになり、垂下片３ａの移動が規制される。フック４のＸ軸回りの回転動作においては、カバー２４を付けていない従来のフック４とほぼ同じ回転動作が可能である。
【００４０】
Ｙ軸回りの回転動作において、フック４が回転すると溝部３２が垂下片３ａに接触し、それ以上回転しない。フック４にカバー２４が取り付けられていない場合と比べると、フック４は、ほとんど回転できない。また、Ｚ軸回りの回転動作においても、フック４が回転すると溝部３２が垂下片３ａに接触するので、フック４は、ほとんど回転できない。フック４がカバー２４を装着することで、Ｘ軸方向においてのみ回転可能となるので、フック４がねじれることがない。従って、フック４が裏返ることがなく、フック４が垂下片３ａに乗り上がることを防止することができる。これにより、フック４と排水弁とを繋ぐ玉鎖５が垂下片３ａに乗り上がったフック４によって引っ張られることでハンドル１の操作の意図に反して排水弁が開いた状態のままとなることを回避することができ、タンク１０内に貯溜されている洗浄水が流出し続けることを防止できる。結果として、洗浄水の無駄な排水を防止することができ、節水に寄与することができる。
【００４１】
また好ましくは、フック４にカバー２４が取り付けられた状態において、カバー２４のＺ軸方向の厚みは、玉鎖５の玉同士の間隔より厚い。つまり、第一挟装部２６と第二挟装部２８が折り重なった状態におけるカバー２４の板厚の寸法は、玉鎖５において互いに隣り合う玉５ａ間に露出する紐５ｂの長さよりも大きいことが好ましい。これにより、玉鎖５において互いに隣り合う玉５ａ間にカバー２４が嵌り込むことが防止されるので、玉鎖５がカバー２４に引っかかることを防止することができる。これにより、玉鎖５がカバー２４に引っかかることで意図せずに玉鎖５が引っ張られて操作部１の操作の意図に反して玉鎖５により排水弁が引っ張られることを回避することができる。
【００４２】
また、カバー２４が図１における左右方向のどちらかに偏っている状態、つまり溝部３２の内側面の一方と垂下片３ａの側面とが当接している状態において、他方の内側面と垂下片３ａの側面との隙間が玉鎖５の玉５ａの直径よりも小さい隙間となるように、垂下部３ａの形状・寸法や溝部３２の幅等が設定されている。すなわち、フック４及びカバー２４がスピンドル取付部４ａの円環形状が沿う平面（Ｘ−Ｙ平面）に沿って最も傾いた状態での垂下片３ａの側面と溝部３２の内側面との間でカバー４２の上側に生じる隙間の寸法が、玉鎖５の玉５ａの直径よりも小さくなるように、垂下部３ａ及びカバー２４が構成されている。これにより、溝部３２の内側面と垂下片３ａの側面との隙間に玉鎖５が引っかかることはなくなり、玉鎖５がその隙間に引っかかることで意図せずに玉鎖５が引っ張られて操作部１の操作の意図に反して玉鎖５により排水弁が引っ張られることを回避することができる。
【００４３】
以上のように、本実施形態に係るフック接続構造５０によれば、勢いよくハンドル１を回転操作してフック４が跳ね上がっても規制手段によって回転動作が規制されるので、フック４の裏返りが防止でき、タンク内に貯溜されている洗浄水が流出し続けることを防止できる。
【００４４】
以上本発明の実施形態を詳述したがこれはあくまで一例示であり、本発明はその趣旨を逸脱しない範囲において種々変更を加えた形態で構成可能である。
【符号の説明】
【００４５】
１    ハンドル
３    スピンドル
３ａ  垂下片（フック係止部）
３ｂ  貫通孔
４    フック
４ａ  スピンドル取付部
４ｂ  玉鎖係止部
５    玉鎖
５ａ  玉
５ｂ  紐
１０  タンク
１２  蓋
１４  側壁
１６  開口
１８  フランジ
２０  ナット
２２  連結部
２４  カバー
２６  第一挟装部
２８  第二挟装部
３０  接続部
３２  溝部
３４  環状凹部
３６  止め具
３８  爪部
４０  傾斜部
５０  フック接続構造
【図２】
2015078491.tif 000003
【図３】
2015078491.tif 000004
【図４】
2015078491.tif 000005
【図５】
2015078491.tif 000006
【図１】
2015078491.tif 000007